【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
撮影により取得された画像データと、当該画像データの撮影日時を示す撮影データとを対応して記憶した記憶手段と、
この記憶手段から前記画像データと、これに対応する撮影データとを読み出す読出手段と、
この読出手段により読み出された前記画像データに基づき、画像を表示手段に表示させる画像表示制御手段と、
現在日時を計時する計時手段と、
この計時手段により計時された現在日時と前記撮影日時データが示す撮影日時とを比較して、前記撮影日時から一定時間以上経過しているか否かを判断する判断手段と、
前記判断手段により一定時間以上経過していると判断された場合に、前記撮影日時を表示させる情報表示制御手段と
を備えることを特徴とする画像再生制御装置。
【請求項２】
撮影により取得された画像データと、当該画像データの撮影日時を示す撮影データとを対応して記憶した記憶手段と、
この記憶手段から前記画像データと、これに対応する撮影データとを読み出す読出手段と、
この読出手段により読み出された前記画像データに基づき、画像を表示手段に表示させる画像表示制御手段と、
前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、
前記判断手段により一定時間以上経過していると判断された場合に、前記次の画像データに基づく画像を表示させた際に、対応する撮影日時データに基づき撮影日を表示させる情報表示制御手段と
を備えることを特徴とする画像再生制御装置。
【請求項３】
前記情報表示制御手段は、前記表示手段に画像と撮影日時とが表示されている状態において、前記撮影日時をフェードアウトさせるフェードアウト処理手段を備えることを特徴とする請求項１又は２記載の画像再生制御装置。
【請求項４】
撮影により取得された画像データと、当該画像データの撮影位置を示す撮影データとを対応して記憶した記憶手段と、
この記憶手段から前記画像データと、これに対応する撮影データとを読み出す読出手段と、
この読出手段により読み出された前記画像データに基づき、画像を表示手段に表示させる画像表示制御手段と、
位置データが示す位置に対応する場所の名称を記憶した情報記憶手段と、
前記撮影データに基づき、対応する場所の名称を前記情報記憶手段から読み出して表示させる情報表示制御手段と
を備えることを特徴とする画像再生制御装置。
【請求項５】
前記情報表示制御手段は、
前記表示手段に表示させた前記場所の名称と、前記読出手段により読み出された次の画像データに対応する撮影位置データに基づき前記表示手段に表示させる次の場所の名称とが一致するか否かを判断する判断手段を備え、
この判断手段により前記両場所の名称が一致しないと判断された場合に、前記次の撮影位置データに基づき対応する場所の名称を前記表示手段に表示させることを特徴とする請求項４記載の画像表示制御装置。
【請求項６】
前記記憶手段に記憶された撮影データは、前記撮影位置データ及び撮影日時を示す撮影日時データであり、
前記情報表示制御手段は、
前記表示手段に表示させた前記場所の名称と、次に前記読出手段により読み出された次の画像データに対応する位置データに基づき前記表示手段に表示させる次の場所の名称とが一致するか否かを判断する判断手段を備え、
この判断手段により前記場所の名称が一致しないと判断された場合に、前記次の撮影位置データに基づき対応する場所の名称を前記表示手段に表示させる第１の手段と、
前記判断手段により前記場所の名称が一致すると判断された場合に、前記撮影日時データに基づき前記撮影日時を表示させる第２の手段と
を備えることを特徴とする請求項４記載の画像再生装置。
【請求項７】
被写体を撮影して画像データを生成する生成手段と、
前記被写体の撮影時における情報を示す撮影データを取得する取得手段と、
前記生成手段により生成された画像データと前記取得手段により取得された撮影データとを対応させて前記記憶手段に記憶させる記憶制御手段と
をさらに備えることを特徴とする請求項１からに６記載の画像再生制御装置。
【請求項８】
前記取得手段は、撮影日時を示す撮影日時データ又は撮影位置を示す撮影位置データの少なくとも一方を前記撮影データとして取得することを特徴とする請求項７記載の画像再生制御装置。
【請求項９】
撮影により取得された画像データと、当該画像データの撮影日時を示す撮影データとを対応して記憶した記憶手段を備える画像再生制御装置が有するコンピュータを、
前記記憶手段から前記画像データと、これに対応する撮影データとを読み出す読出手段と、
この読出手段により読み出された前記画像データに基づき、画像を表示手段に表示させる画像表示制御手段と、
現在日時を計時する計時手段と、
この計時手段により計時された現在日時と前記撮影日時データが示す撮影日時とを比較して、前記撮影日時から一定時間以上経過しているか否かを判断する判断手段と、
前記判断手段により一定時間以上経過していると判断された場合に、前記撮影日時を表示させる情報表示制御手段と
して機能させることを特徴とする画像再生制御プログラム。
【請求項１０】
撮影により取得された画像データと、当該画像データの撮影日時を示す撮影データとを対応して記憶した記憶手段を備える画像再生装置の制御方法であって、
前記記憶手段から前記画像データと、これに対応する撮影データとを読み出す読出ステップと、
この読出ステップにより読み出された前記画像データに基づき、画像を表示手段に表示させる画像表示制御ステップと、
現在日時を計時する計時ステップと、
この計時ステップにより計時された現在日時と前記撮影日時データが示す撮影日時とを比較して、前記撮影日時から一定時間以上経過しているか否かを判断する判断ステップと、
前記判断ステップにより一定時間以上経過していると判断された場合に、前記撮影日時を表示させる情報表示制御ステップと
を含むことを特徴とする画像再生制御方法。
【請求項１１】
撮影により取得された画像データと、当該画像データの撮影時における情報を示す撮影データとを対応して記憶した記憶手段を備える画像再生制御装置が有するコンピュータを、
前記記憶手段から前記画像データと、これに対応する撮影データとを読み出す読出手段と、
この読出手段により読み出された前記画像データに基づき、画像を表示手段に表示させる画像表示制御手段と、
前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、
前記判断手段により一定時間以上経過していると判断された場合に、前記次の画像データに基づく画像を表示させた際に、対応する撮影日時データに基づき撮影日を表示させる情報表示制御手段と
して機能させることを特徴とする画像再生制御プログラム。
【請求項１２】
撮影により取得された画像データと、当該画像データの撮影日時を示す撮影データとを対応して記憶した記憶手段を備える画像再生装置の制御方法であって、
前記記憶手段から前記画像データと、これに対応する撮影データとを読み出す読出ステップと、
この読出ステップにより読み出された前記画像データに基づき、画像を表示手段に表示させる画像表示制御ステップと、
前記表示手段に表示させた前記撮影日時と、前記読出ステップにより読み出された次の画像データに対応する撮影日時データに基づき前記表示手段に表示させる撮影日時とを比較して、前記表示させた撮影日時から一定時間以上経過しているか否かを判断する判断ステップと、
前記判断ステップにより一定時間以上経過していると判断された場合に、前記次の画像データに基づく画像を表示させた際に、対応する撮影日時データに基づき撮影日を表示させる情報表示制御ステップと
を含むことを特徴とする画像再生制御方法。
【請求項１３】
撮影により取得された画像データと、当該画像データの撮影位置を示す撮影データとを対応して記憶した記憶手段と、位置データが示す位置に対応する場所の名称を記憶した情報記憶手段と、画像を表示する表示手段と、を備える画像再生制御装置が有するコンピュータを、
この記憶手段から前記画像データと、これに対応する撮影データとを読み出す読出手段と、
この読出手段により読み出された前記画像データに基づき、画像を前記表示手段に表示させる画像表示制御手段と、
前記撮影データに基づき、対応する場所の名称を前記情報記憶手段から読み出して表示させる情報表示制御手段と
して機能させることを特徴とする画像再生制御プログラム。
【請求項１４】
撮影により取得された画像データと、当該画像データの撮影位置を示す撮影データとを対応して記憶した記憶手段と、位置データが示す位置に対応する場所の名称を記憶した情報記憶手段と、画像を表示する表示手段と、を備える画像再生制御装置の制御方法であって、
この記憶手段から前記画像データと、これに対応する撮影データとを読み出す読出ステップと、
この読出ステップにより読み出された前記画像データに基づき、画像を前記表示手段に表示させる画像表示制御ステップと、
前記撮影データに基づき、対応する場所の名称を前記情報記憶手段から読み出して表示させる情報表示制御ステップと
を含むことを特徴とする画像再生制御方法。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
前記課題を解決するために請求項１記載の発明に係る画像再生制御装置にあっては、撮影により取得された画像データと、当該画像データの撮影日時を示す撮影データとを対応して記憶した記憶手段と、この記憶手段から前記画像データと、これに対応する撮影データとを読み出す読出手段と、この読出手段により読み出された前記画像データに基づき、画像を表示手段に表示させる画像表示制御手段と、現在日時を計時する計時手段と、この計時手段により計時された現在日時と前記撮影日時データが示す撮影日時とを比較して、前記撮影日時から一定時間以上経過しているか否かを判断する判断手段と、前記判断手段により一定時間以上経過していると判断された場合に、前記撮影日時を表示させる情報表示制御手段とを備えることを特徴とする。
【手続補正５】
【補正対象書類名】明細書
【補正対象項目名】０００８
【補正方法】変更
【補正の内容】
【０００８】
また、請求項２記載の発明に係る画像再生制御装置にあっては、撮影により取得された画像データと、当該画像データの撮影日時を示す撮影データとを対応して記憶した記憶手段と、この記憶手段から前記画像データと、これに対応する撮影データとを読み出す読出手段と、この読出手段により読み出された前記画像データに基づき、画像を表示手段に表示させる画像表示制御手段と、前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、前記判断手段により一定時間以上経過していると判断された場合に、前記次の画像データに基づく画像を表示させた際に、対応する撮影日時データに基づき撮影日を表示させる情報表示制御手段とを備えることを特徴とする。
【手続補正６】
【補正対象書類名】明細書
【補正対象項目名】０００９
【補正方法】変更
【補正の内容】
【０００９】
また、請求項３記載の発明に係る画像再生制御装置にあっては、前記情報表示制御手段は、前記表示手段に画像と撮影日時とが表示されている状態において、前記撮影日時をフェードアウトさせるフェードアウト処理手段を備えることを特徴とする。
【手続補正７】
【補正対象書類名】明細書
【補正対象項目名】００１０
【補正方法】変更
【補正の内容】
【００１０】
また、請求項４記載の発明に係る画像再生制御装置にあっては、撮影により取得された画像データと、当該画像データの撮影位置を示す撮影データとを対応して記憶した記憶手段と、この記憶手段から前記画像データと、これに対応する撮影データとを読み出す読出手段と、この読出手段により読み出された前記画像データに基づき、画像を表示手段に表示させる画像表示制御手段と、位置データが示す位置に対応する場所の名称を記憶した情報記憶手段と、前記撮影データに基づき、対応する場所の名称を前記情報記憶手段から読み出して表示させる情報表示制御手段と備えることを特徴とする。
【手続補正８】
【補正対象書類名】明細書
【補正対象項目名】００１１
【補正方法】変更
【補正の内容】
【００１１】
また、請求項５記載の発明に係る画像再生制御装置にあっては、前記情報表示制御手段は、前記表示手段に表示させた前記場所の名称と、前記読出手段により読み出された次の画像データに対応する撮影位置データに基づき前記表示手段に表示させる次の場所の名称とが一致するか否かを判断する判断手段を備え、この判断手段により前記両場所の名称が一致しないと判断された場合に、前記次の撮影位置データに基づき対応する場所の名称を前記表示手段に表示させることを特徴とする。
【手続補正９】
【補正対象書類名】明細書
【補正対象項目名】００１２
【補正方法】変更
【補正の内容】
【００１２】
また、請求項６記載の発明に係る画像再生制御装置にあっては、前記記憶手段に記憶された撮影データは、前記撮影位置データ及び撮影日時を示す撮影日時データであり、前記情報表示制御手段は、前記表示手段に表示させた前記場所の名称と、次に前記読出手段により読み出された次の画像データに対応する位置データに基づき前記表示手段に表示させる次の場所の名称とが一致するか否かを判断する判断手段を備え、この判断手段により前記場所の名称が一致しないと判断された場合に、前記次の撮影位置データに基づき対応する場所の名称を前記表示手段に表示させる第１の手段と、前記判断手段により前記場所の名称が一致すると判断された場合に、前記撮影日時データに基づき前記撮影日時を表示させる第２の手段とを備えることを特徴とする。
【手続補正１０】
【補正対象書類名】明細書
【補正対象項目名】００１３
【補正方法】変更
【補正の内容】
【００１３】
また、請求項７記載の発明に係る画像表示制御装置にあっては、被写体を撮影して画像データを生成する生成手段と、前記被写体の撮影時における情報を示す撮影データを取得する取得手段と、前記生成手段により生成された画像データと前記取得手段により取得された撮影データとを対応させて前記記憶手段に記憶させる記憶制御手段とをさらに備えることを特徴とする。
【手続補正１１】
【補正対象書類名】明細書
【補正対象項目名】００１４
【補正方法】変更
【補正の内容】
【００１４】
また、請求項８記載の発明に係る画像表示制御装置にあっては、前記取得手段は、撮影日時を示す撮影日時データ又は撮影位置を示す撮影位置データの少なくとも一方を前記撮影データとして取得することを特徴とする。
【手続補正１２】
【補正対象書類名】明細書
【補正対象項目名】００１５
【補正方法】変更
【補正の内容】
【００１５】
また、請求項９記載の発明に係る画像再生制御プログラムにあっては、撮影により取得された画像データと、当該画像データの撮影日時を示す撮影データとを対応して記憶した記憶手段を備える画像再生制御装置が有するコンピュータを、前記記憶手段から前記画像データと、これに対応する撮影データとを読み出す読出手段と、この読出手段により読み出された前記画像データに基づき、画像を表示手段に表示させる画像表示制御手段と、現在日時を計時する計時手段と、この計時手段により計時された現在日時と前記撮影日時データが示す撮影日時とを比較して、前記撮影日時から一定時間以上経過しているか否かを判断する判断手段と、前記判断手段により一定時間以上経過していると判断された場合に、前記撮影日時を表示させる情報表示制御手段として機能させることを特徴とする。
また、請求項１１記載の発明に係る画像再生制御プログラムにあっては、撮影により取得された画像データと、当該画像データの撮影時における情報を示す撮影データとを対応して記憶した記憶手段を備える画像再生制御装置が有するコンピュータを、前記記憶手段から前記画像データと、これに対応する撮影データとを読み出す読出手段と、この読出手段により読み出された前記画像データに基づき、画像を表示手段に表示させる画像表示制御手段と、前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、前記判断手段により一定時間以上経過していると判断された場合に、前記次の画像データに基づく画像を表示させた際に、対応する撮影日時データに基づき撮影日を表示させる情報表示制御手段として機能させることを特徴とする。
また、請求項１３記載の発明に係る画像再生制御プログラムにあっては、撮影により取得された画像データと、当該画像データの撮影位置を示す撮影データとを対応して記憶した記憶手段と、位置データが示す位置に対応する場所の名称を記憶した情報記憶手段と、画像を表示する表示手段と、を備える画像再生制御装置が有するコンピュータを、この記憶手段から前記画像データと、これに対応する撮影データとを読み出す読出手段と、この読出手段により読み出された前記画像データに基づき、画像を前記表示手段に表示させる画像表示制御手段と、前記撮影データに基づき、対応する場所の名称を前記情報記憶手段から読み出して表示させる情報表示制御手段として機能させることを特徴とする。
【手続補正１３】
【補正対象書類名】明細書
【補正対象項目名】００１６
【補正方法】変更
【補正の内容】
【００１６】
また、請求項１０記載の発明に係る画像再生制御方法にあっては、撮影により取得された画像データと、当該画像データの撮影時における情報を示す撮影データとを対応して記憶した記憶手段を備える画像再生装置の制御方法であって、前記記憶手段から前記画像データと、これに対応する撮影データとを読み出す読出ステップと、この読出ステップにより読み出された前記画像データに基づき、画像を表示手段に表示させる画像表示制御ステップと、前記読出ステップにより読み出された前記撮影データに基づき、撮影時における情報を前記画像とともに前記表示手段に表示させる情報表示制御ステップとを含むことを特徴とする。
また、請求項１２記載の発明に係る画像再生制御方法にあっては、撮影により取得された画像データと、当該画像データの撮影時における情報を示す撮影データとを対応して記憶した記憶手段を備える画像再生制御装置が有するコンピュータを、前記記憶手段から前記画像データと、これに対応する撮影データとを読み出す読出手段と、この読出手段により読み出された前記画像データに基づき、画像を表示手段に表示させる画像表示制御手段と、前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、前記判断手段により一定時間以上経過していると判断された場合に、前記次の画像データに基づく画像を表示させた際に、対応する撮影日時データに基づき撮影日を表示させる情報表示制御手段として機能させることを特徴とする。
また、請求項１４記載の発明に係る画像再生制御方法にあっては、撮影により取得された画像データと、当該画像データの撮影位置を示す撮影データとを対応して記憶した記憶手段と、位置データが示す位置に対応する場所の名称を記憶した情報記憶手段と、画像を表示する表示手段と、を備える画像再生制御装置の制御方法であって、この記憶手段から前記画像データと、これに対応する撮影データとを読み出す読出ステップと、この読出ステップにより読み出された前記画像データに基づき、画像を前記表示手段に表示させる画像表示制御ステップと、前記撮影データに基づき、対応する場所の名称を前記情報記憶手段から読み出して表示させる情報表示制御ステップとを含むことを特徴とする。